(57)【要約】【課題】除湿性を更に高め得るボトムボード、ベッド装置および着座シート装置を提供する。【解決手段】ベッド装置１は、ベッド本体２と、弾性体Ｍを載置するボトムボード３とを備える。ボトムボード３は、弾性体Ｍの湿分を通過させる通気性をもつ表層部材４と、空気を保持する複数の細孔をもつ空気層保持部材５と、湿分を吸着可能な湿度安定部材６と、湿度安定部材６に吸着された湿分をボトムボード３から退避する方向に逃がす湿分逃がし開口７５を備える強度部材７とを備える。ボトムボード３の厚み方向において、表層部材４、空気層保持部材５、湿度安定部材６、強度部材７が、弾性体Ｍに近い側から遠ざかるように積層されている。【選択図】図１
2008173292.tif 000002
【特許請求の範囲】
【請求項１】
人に接触して人を支持する弾性体を設置するボトムボードにおいて、
前記弾性体の湿分を通過させる通気性をもつ表層部材と、空気を保持する複数の細孔をもつ空気層保持部材と、湿分を吸着可能な湿度安定部材と、前記湿度安定部材に吸着された湿分を前記ボトムボードから退避する方向に逃がす湿分逃がし開口を備える強度部材とを具備しており、
前記ボトムボードの厚み方向において、前記表層部材、前記空気層保持部材、前記湿度安定部材、前記強度部材が、前記弾性体に近い側から遠ざかるように積層されていることを特徴とするボトムボード。
【請求項２】
人に接触して人を支持する弾性体を設置するボトムボードにおいて、
空気を保持する複数の細孔をもつ空気層保持部材と、湿分を吸着可能な湿度安定部材と、前記湿度安定部材に吸着された湿分を前記ボトムボードから退避する方向に逃がす湿分逃がし開口を備える強度部材とを具備しており、
前記ボトムボードの厚み方向において、前記空気層保持部材、前記湿度安定部材、前記強度部材が、前記弾性体に近い側から遠ざかるように積層されていることを特徴とするボトムボード。
【請求項３】
請求項１または２において、前記湿度安定部材は、吸湿性をもつ吸湿部材を備えていることを特徴とするボトムボード。
【請求項４】
請求項１〜３のうちの一項において、前記湿度安定部材は、臭い物質を吸着または除去する物質を備えていることを特徴とするボトムボード。
【請求項５】
請求項１〜４のうちの一項において、前記空気層保持部材は、空気層を形成するように複数の繊維を集積させた繊維集積体を有する構造、空気層を形成する厚み方向に連通する複数の細孔を有する構造、空気層を形成する網目をもつ複数の網体を厚み方向に積層させた構造、または、空気層を形成するように粒状体を結合させた板状体で形成した構造であることを特徴とするボトムボード。
【請求項６】
請求項１〜５のうちの一項において、前記湿度安定部材を直接的または間接的に暖めて前記湿度安定部材における吸湿量を低減させる加熱部が設けられていることを特徴とするボトムボード。
【請求項７】
ベッド本体と、前記ベッド本体に設置され就寝する人に接触して人を支持する弾性体を載置するボトムボードとを具備するベッド装置において、
前記ボトムボードは、
前記弾性体の湿分を通過させる通気性をもつ表層部材と、空気を保持する複数の細孔をもつ空気層保持部材と、湿分を吸着可能な湿度安定部材と、前記湿度安定部材に吸着された湿分を前記ボトムボードから退避する方向に逃がす湿分逃がし開口を備える強度部材とを具備しており、
前記ボトムボードの厚み方向において、前記表層部材、前記空気層保持部材、前記湿度安定部材、前記強度部材が、前記弾性体に近い側から遠ざかるように積層されていることを特徴とするベッド装置。
【請求項８】
請求項７において、前記湿度安定部材を直接的または間接的に暖める加熱部が設けられていることを特徴とするベッド装置。
【請求項９】
請求項７または８において、前記弾性体上の人を検知する人体検知センサを装備し、前記人体検知センサによる人体検知の有無に基づいて前記加熱部のオンオフを制御する制御部が設けられていることを特徴とするベッド装置。
【請求項１０】
請求項７〜９のうちの一項において、前記湿度安定部材の単位面積あたりの吸湿能力について、ベッド装置の長さ方向において、就寝者の脚側の領域における単位面積あたりの吸湿能力よりも、就寝者の腰部付近の領域における単位面積あたりの吸湿能力、または、就寝者の腰部よりも上半身側の領域における単位面積あたりの吸湿能力を相対的に高く設定していることを特徴とするベッド装置。
【請求項１１】
請求項７〜９のうちの一項において、前記湿度安定部材の平面視において、就寝者の荷重が負荷される頻度が相対的に高い高荷重領域と、就寝者の荷重が負荷される頻度が高荷重領域よりも相対的に低い低荷重領域とに区分けされており、前記高荷重領域における単位面積あたりの吸湿能力を、前記低荷重領域における単位面積あたりの吸湿能力よりも相対的に高く設定していることを特徴とするベッド装置。
【請求項１２】
シート本体と、前記シート本体に設置され着座する人に接触して人を支持する弾性体を載置するボードとを具備する着座シート装置において、
前記ボードは、
前記弾性体の湿分を通過させる通気性をもつ表層部材と、空気を保持する複数の細孔をもつ空気層保持部材と、湿分を吸着可能な湿度安定部材と、前記湿度安定部材に吸着された湿分を前記ボードから退避する方向に逃がす湿分逃がし開口を備える強度部材とを具備しており、
前記ボードの厚み方向において、前記表層部材、前記空気層保持部材、前記湿度安定部材、前記強度部材が、前記弾性体に近い側から遠ざかるように積層されていることを特徴とする着座シート装置。
【発明の詳細な説明】
【技術分野】
【０００１】
本発明はボトムボード、ベッド装置および着座シート装置に関する。
【背景技術】
【０００２】
一般的には、ベッド装置は、ベッド本体と、ベッド本体に設置されたボトムボードとを備えている。ボトムボードは、就寝する人に接触して人を支持する弾性体としてのマットレスを載置して支持する。就寝者が就寝しているとき、マットレスにおける湿度、マットレスとボトムボードとの間における湿度が高くなり易い。就寝開始からの時間が経過するにつれて、前記した部分における湿度が次第に増加する。条件によっては、カビ等の要因となり得る。そこでマットレスとボトムボードとの間等において、除湿対策を施すことが好ましい。特に、就寝者が汗をかき易い体質の場合には、なおさらである。そこでボトムボードにセピオライトを担持させる技術が開発されている（特許文献１）。
【特許文献１】特開平１０−３２７９８３号公報
【発明の開示】
【発明が解決しようとする課題】
【０００３】
上記したセピオライトは微小な多孔質体であり、高い吸湿性を有するため、良好な除湿対策といえる。しかしながらベッド業界では、除湿性を更に高め得るベッド装置の開発が要望されている。着座シート装置についても同様であり、着座者が汗をかきやすい体質である場合には、着座シート装置における除湿性を高めることが好ましい。
【０００４】
本発明は上記した実情に鑑みてなされたものであり、除湿性を更に高めるのに有利なボトムボード、ベッド装置および着座シート装置を提供することを課題とする。
【課題を解決するための手段】
【０００５】
様相１に係るボトムボードは、人に接触して人を支持する弾性体を設置するボトムボードにおいて、弾性体の湿分を通過させる通気性をもつ表層部材と、空気を保持する複数の細孔をもつ空気層保持部材と、湿分を吸着可能な湿度安定部材と、湿度安定部材に吸着された湿分をボトムボードから退避する方向に逃がす湿分逃がし開口を備える強度部材とを具備しており、ボトムボードの厚み方向において、表層部材、空気層保持部材、湿度安定部材、強度部材が、弾性体に近い側から遠ざかるように積層されていることを特徴とする。
【０００６】
様相２に係るボトムボードは、人に接触して人を支持する弾性体を設置するボトムボードにおいて、空気を保持する複数の細孔をもつ空気層保持部材と、湿分を吸着可能な湿度安定部材と、湿度安定部材に吸着された湿分をボトムボードから退避する方向に逃がす湿分逃がし開口を備える強度部材とを具備しており、ボトムボードの厚み方向において、空気層保持部材、湿度安定部材、強度部材が、弾性体に近い側から遠ざかるように積層されていることを特徴とするボトムボード。
【０００７】
様相３に係るベッド装置は、ベッド本体と、ベッド本体に設置され就寝する人に接触して人を支持する弾性体を載置するボードとを具備するベッド装置において、ボードは、弾性体の湿分を通過させる通気性をもつ表層部材と、空気を保持する複数の細孔をもつ空気層保持部材と、湿分を吸着可能な湿度安定部材と、湿度安定部材に吸着された湿分をボードから退避する方向に逃がす湿分逃がし開口を備える強度部材とを具備しており、ボードの厚み方向において、表層部材、空気層保持部材、湿度安定部材、強度部材が、弾性体に近い側から遠ざかるように積層されていることを特徴とする。
【０００８】
様相４に係る着座シート装置は、シート本体と、シート本体に設置され着座する人に接触して人を支持する弾性体を載置するボードとを具備する着座シート装置において、ボードは、弾性体の湿分を通過させる通気性をもつ表層部材と、空気を保持する複数の細孔をもつ空気層保持部材と、湿分を吸着可能な湿度安定部材と、湿度安定部材に吸着された湿分をボードから退避する方向に逃がす湿分逃がし開口を備える強度部材とを具備しており、ボードの厚み方向において、表層部材、空気層保持部材、湿度安定部材、強度部材が、弾性体に近い側から遠ざかるように積層されていることを特徴とする。
【０００９】
本発明によれば、弾性体は、人に接触して人を弾性的に支持する。このため弾性体は人の汗等の湿分を吸収し、湿分をもつことがあり、使用期間が長くなると、カビ等の要因となり得る。弾性体としてはマットレス、クッションが例示される。本発明に係るボトムボード（ボード）は、人に接触して人を弾性的に支持する弾性体を設置する。ボトムボード（ボード）を構成する湿度安定部材は、弾性体の湿分を空気層保持部材を介して吸収するため、弾性体における湿分は良好に除去される。湿度安定部材に吸着された湿分は、強度部材の湿分逃がし開口を介してボトムボード（ボード）から退避する方向に逃がされる。弾性体と湿度安定部材との間に空気層保持部材が介在している。このため、湿度安定部材に吸湿されている湿分量が多くなった場合であっても、湿度安定部材に吸湿されている湿分が弾性体側に逆流することが抑制される。このためボトムボード（ボード）と弾性体との間における除湿効果が高められる。
【発明の効果】
【００１０】
本発明によれば、弾性体と湿度安定部材との間に空気層保持部材が介在している。このため、湿度安定部材に吸湿されている湿分量が多くなった場合であっても、湿度安定部材に吸湿されている湿分が弾性体側に逆流することが抑制される。このためボトムボード（ボード）と弾性体との間における除湿効果が高められる。このため本発明によれば、除湿性を更に高め得るボトムボード（ボード）、ベッド装置および着座シート装置を提供することができる。
【発明を実施するための最良の形態】
【００１１】
本発明を実施した各実施形態について図面を参照しつつ説明する。
【００１２】
（実施形態１）
図１〜図３は本発明の実施形態１を示す。ベッド装置１は、ベッド本体２と、床板（とこいた）とも呼ばれるボトムボード３とを備えている。ボトムボード３は、ベッド本体２に設置されており、就寝する人に接触して人を支持する弾性体としてのマットレスＭを載置する。マットレスＭの厚みはｔａとして図示されている（図１）。ボトムボード３は、マットレスＭにおける湿分を通過させる通気性をもつシート状をなす表層部材４と、空気を保持する複数の細孔をもつ板状またはシート状をなす空気層保持部材５と、湿分を吸着可能な板状またはシート状をなす湿度安定部材６と、湿度安定部材６に吸着された湿分をボトムボード３から遠ざかる方向に、即ち、ボトムボード３の下側に逃がすための湿分逃がし開口７５を備える板状をなす強度部材７とを備えている。湿分逃がし開口７５は、開口幅が大きな開口７５Ａと、開口幅が大きな開口７５Ｂとで形成されている。
【００１３】
図１および図２に示すように、ボトムボード３の厚み方向（矢印ｔｃ方向）において、表層部材４、空気層保持部材５、湿度安定部材６、強度部材７が、マットレスＭに近い側から遠ざかるように順に積層されている。
【００１４】
表層部材４は、マットレスＭに対するずれ防止性を図るように所要の摩擦係数をもつものが好ましい。表層部材４は、意匠性を有することが好ましい。空気層保持部材５は、マットレスＭから放散される湿分を有する空気を保持する機能を果たす。このため、マットレスＭに含まれている湿分（気相としての水分、液相としての水分）が効果的に除去される。これによりマットレスＭとボトムボード３との間における湿度環境が良好に保たれる。更にマットレスＭの湿度環境が良好に保たれる。故に、マットレスＭとボトムボード３との間におけるカビの発生、マットレスＭにおけるカビの発生が抑制される。更に、空気層保持部材５は空気層を形成するため、剛性やよび弾性度を調整することができ、ボトムボード３における剛性（クッション度）を調整する機能も果たす。
【００１５】
空気層保持部材５としては、図３（Ａ）に示すように三次元的な空気層５００を形成するように複数の繊維５０１を集積させた状態で固めた繊維集積体５０２を有する構造、または、図３（Ｂ）に示すように空気層を形成する網目５１０をもつ複数の網体５１２を厚み方向に積層させた構造、または、図３（Ｃ）に示すように空気層を形成するように厚み方向に貫通する複数の細孔５２０を有する板状体５２２で形成した構造、または、図３（Ｄ）に示すように空気層５４０を形成するように粒状体５４２を結合させた板状体５４４で形成した構造が例示される。このように空気層保持部材５の空気層が空気層保持部材５の厚み方向に連通するため、マットレスＭ側の湿分を湿度安定部材６側に容易に透過させることができる。空気層保持部材５における空気層は、厚み方向に２次元的に連通しているものでも良いし、あるいは、３次元的に連通しているものでも良い。空気層保持部材５の空気層が三次元的に形成されているときには、空気層保持部材５の面方向において湿分を分散させ易い利点が得られ、湿分が空気層保持部材５において局部的に高くなる不具合が解消される。ひいては湿度安定部材６において吸湿量が局部的に高くなる不具合が解消される。
【００１６】
空気層保持部材５は、空気層の容積を確保するため、ある程度の剛性をもつものが好ましい。これにより空気層保持部材５における空気層の潰れが抑えられ、空気層保持部材５の厚み方向の空気通過性が確保される。例えば、人体の荷重が空気層保持部材５に負荷される前の厚みを１００として相対表示するとき、人体の荷重が空気層保持部材５に負荷されている状態での厚みが相対表示で４０〜１００、５０〜９５、７０〜９５となるような剛性を有することが好ましい。
【００１７】
また空気層保持部材５がある程度の剛性をもつものであれば、マットレスＭを介して重力方向に作用する人体の荷重による負荷を空気層保持部材５が負担することができる。故に、湿度安定部材６が厚み方向に過剰圧縮されることが抑えられる。この場合、湿度安定部材６に吸湿されていた湿分がマットレスＭ側に逆流することを抑えるのに有利である。
【００１８】
空気層保持部材５を構成する繊維集積体５０２としては、複数の繊維５０１同士を機械的に絡ませたものでも良いし、複数の繊維５０１同士をバインダで結着させつつ絡ませたものでも良いし、バインダを用いることなく、複数の繊維５０１同士を溶着または融着させつつ結着させて絡ませたものでも良い。繊維５０１としては有機繊維、無機繊維が例示される。有機繊維としては、天然繊維、合成繊維が例示される。無機繊維としては、ガラス繊維、セラミックス繊維、金属繊維が例示される。なお、人体の荷重が負荷される前において、空気層保持部材５の厚みとしては２〜４０ミリメトール、３〜２０ミリメトール、３〜１５ミリメトールが例示されるが、これらに限定されるものではない。
【００１９】
湿度安定部材６は、高い吸湿性（吸湿能力）をもつ吸湿部材６１を備えていることが好ましい。これにより湿度安定部材６の単位面積あたりの吸湿量が飛躍的に増加する。よって、マットレスＭに含まれている湿分を、空気層保持部材５を介して良好に除去することができる。従って湿度安定部材６は、マットレスＭに含まれている湿分を空気層保持部材５を介して吸収するポンプとしての機能を果たすといえる。このような機能を果たす湿度安定部材６は、吸湿性をもつ吸湿部材６１を担持するペーパ基材６２で形成することができる。ペーパ基材６２は、繊維を絡ませた撓み性をもつシートである。ペーパ基材６２自体も吸湿性を有する。湿度安定部材６に保持されている上記した吸湿部材６１としては、比表面積が大きな多孔質体が例示される。多孔質体としては顆粒状、粉末粒子状とすることができる。多孔質体としては、複数の細孔をもつ粘土鉱物または活性炭が好ましい。粘土鉱物としては、セピオライト、アタパルジャイト、ゼオライト、パリゴルスカイトのうちの少なくとも１種を主要成分とすることができる。このような粘土鉱物または活性炭は微細な多数の細孔を有するため、高い吸湿性をもつ。
【００２０】
本実施形態によれば、湿度安定部材６の上方に空気層保持部材５が設けられている。即ち、湿度安定部材６とマットレスＭとの間には空気層保持部材５が設けられている。このため、吸湿性をもつ湿度安定部材６は、空気層保持部材５の厚み相当ぶん、マットレスＭの下面（裏面）から離間していることになる。このため湿度安定部材６に吸湿されている湿分が過剰となったとしても、その湿分がマットレスＭ側に戻ることが抑えられている。強度部材７は、人が就寝する寝具としてのマットレスＭを支持する強度および剛性をもつ。強度部材７の材質としては木材、硬質樹脂、金属が挙げられる。マットレスＭを載置しやすいように、強度部材７の上面７０は平坦面状であることが好ましい。強度部材７は、四角形状をなす枠体７２で形成できる。枠体７２は、互いに対向する複数の長柱７３と、長柱７３を結合させる複数の短柱７４と、長柱７３および短柱７４に接合され複数の湿分逃がし開口７５を備える。前述したように、湿分逃がし開口７５は、隣設する短柱７４により形成された開口幅が大きな開口７５Ａと、短柱７４に形成された開口幅が大きな開口７５Ｂとで形成されている。湿分逃がし開口７５の下方は空間とされている。従って湿分逃がし開口７５は、湿度安定部材６に吸着された湿分をボトムボード３から退避するようにボトムボード３の下側（ボトムボード３の裏側）に逃がす開口である。これにより湿度安定部材６に吸湿されていた湿分がボトムボード３の裏側に蒸散する。よって、湿度安定部材６に吸着された湿分がマットレスＭ側に戻ることが抑えられている。なお図２（Ｂ）に示すタイプの強度部材７Ｂを採用しても良い。強度部材７Ｂは、四角形状をなしており、複数の長柱７３と、長柱７３に接合され厚み方向に貫通する複数の湿分逃がし開口７５を備える平坦状をなす上面板７６とをもつ。
【００２１】
以上説明したように本実施形態によれば、吸湿性をもつ湿度安定部材６が空気層保持部材５の裏側に設けられているため、除湿性を更に高めたボトムボード３を提供することができる。更に除湿性を更に高めたボトムボード３を備えるベッド装置を提供することができる。本実施形態によれば、吸湿性をもつ湿度安定部材６は空気層保持部材５の厚み相当ぶん、マットレスＭの下面（裏面）から離間している。このため湿度安定部材６に保持されている湿分がマットレスＭ側に戻ることが抑えられている。従ってマットレスＭの湿度環境を良好に保持するのに有利である。なお、湿度安定部材６に担持されている吸湿性をもつ吸湿部材６１が顆粒状である場合であっても、湿度安定部材６の上方（マットレスＭ側）には空気層保持部材５が設けられており、しかも空気層保持部材５がある程度の剛性を有する。このため、マットレスＭ上の就寝者が、顆粒状の吸湿部材６１に起因する凹凸の違和感を感じるおそれが低減されている。
【００２２】
本実施形態によれば、湿度安定部材６に吸着された湿分を、ボトムボード３の湿分逃がし開口７５（開口７５Ａ、開口７５Ｂ）からボトムボード３から退避するように下側に逃がす。このような構造であれば、湿分の伝搬距離をできるだけ短くでき、湿分を効率よく放出させるのに有利となる。更に湿度安定部材６は交換可能とされているため、湿度安定部材６の吸湿能力が低下したら、新しい湿度安定部材６と交換することができる。
【００２３】
本実施形態によれば、図２（Ａ）に示すように、強度部材７および湿度安定部材６のうち互いに対向する面には、マジックテープとも呼ばれる面ファスナー７００、７０１（第１取付部）が取り付けられている。面ファスナー７００、７０１は互いに剥離可能および接合可能とされている。従って強度部材７および湿度安定部材６は互いに剥離可能および接合可能とされている。更に、表層部材４、空気層保持部材５のうち互いに対向する面には、マジックテープとも呼ばれる面ファスナー７５０、７５１（第２取付部）が取り付けられている。面ファスナー７５０、７５１は互いに剥離可能および接合可能とされている。従って表層部材４および空気層保持部材５は互いに剥離可能および接合可能とされている。更に、空気層保持部材５および湿度安定部材６のうち互いに対向する面には、マジックテープとも呼ばれる面ファスナー７７０、７７１（第３取付部）が取り付けられている。面ファスナー７７０、７７１は互いに剥離可能および接合可能とされている。従って空気層保持部材５および湿度安定部材６は互いに剥離可能および接合可能とされている。これにより表層部材４、空気層保持部材５、湿度安定部材６、強度部材７はそれぞれ分離可能とされている。従って表層部材４、空気層保持部材５、湿度安定部材６、強度部材７はそれぞれ交換可能とされている。故に本実施形態によれば、表層部材４、空気層保持部材５、湿度安定部材６、強度部材７が劣化したり、損傷したりしたときには、それぞれ交換することができる。なおボトムボード３はベッド本体２から取り外し可能とされているため、表層部材４、空気層保持部材５、湿度安定部材６、強度部材７の交換作業が更に容易となる。
【００２４】
（実施形態２）
本実施形態は実施形態１と基本的には同様の構成および作用効果を有するため、図１〜図３を準用する。以下、実施形態１と異なる部分を中心として説明する。湿度安定部材６はペーパ基材６２（基材）と吸湿部材６１（一般的には顆粒状または粉末粒子状）とを備えている。ペーパ基材６２および／または吸湿部材６１は、臭い物質（例えばホルムアルデヒド、アセトアルデヒドなどのＶＯＣ）を吸着または除去する物質を有する。ＶＯＣは揮発性化学物質を意味する。この場合、ベッド装置１を構成する材料、当該材料を接着する接着剤等から発生する臭い物質を除去するのに有利となり、臭い物質に対する脱臭性を良好に発揮することができ、ベッド装置１周辺の空気の質の改善を図るのに有利である。
【００２５】
上記した臭い物質（例えばホルムアルデヒド、アセトアルデヒドなどのＶＯＣ）を効率よく吸着または除去する物質として、アミノ酸系物質が例示される。アミノ酸系物質としては、グリシン、アラニン、リシン、システィン、フェニルアラニン、セリン、ヒドロキシリシン、アミノ安息香酸のうちの少なくとも１種を主要成分とすることが好ましい。特に、ペーパ基材６２および／または吸湿部材６１（粘土鉱物または活性炭）にアミノ酸系物質を担持させておくことが好ましい。この場合、アミノ酸系物質を含む液状物と、ペーパ基材６２および／または吸湿部材６１とを接触させる工程と、その後、ペーパ基材６２および／または吸湿部材６１を乾燥させることにより、ペーパ基材６２および／または吸湿部材６１にアミノ酸系物質を担持させる工程とを実施できる。他の実施形態に係るボトムボード３についても、アミノ酸系物質を担持させても良い。
【００２６】
（実施形態３）
本実施形態は実施形態１と基本的には同様の構成および作用効果を有するため、図１〜図３を準用する。以下、実施形態１と異なる部分を中心として説明する。空気層保持部材５も、空気層の容積を確保するためある程度の剛性をもつ。湿度安定部材６の他に、多孔質性をもつ空気層保持部材５の内部においても、吸湿性をもつ吸湿部材６１が設けられている。上記した吸湿部材６１としては、比表面積が大きな多孔質体が例示される。多孔質体としては顆粒状、粉末粒子状とすることができる。多孔質体としては、複数の細孔をもつ粘土鉱物、活性炭が好ましい。粘土鉱物としては、セピオライト、アタパルジャイト、ゼオライト、パリゴルスカイトのうちの少なくとも１種を主要成分とすることができる。吸湿部材６１は、アミノ酸系物質を担持していても良い。
【００２７】
（実施形態４）
図４は実施形態４を示す。本実施形態は実施形態１と基本的には同様の構成および作用効果を有する。以下、実施形態１と異なる部分を中心として説明する。図４に示すように、湿度安定部材６を直接的または間接的に暖める加熱部９がボトムボード３の内部に設けられている。即ち、加熱部９が湿度安定部材６と強度部材７との間に設けられている。この場合、湿度安定部材６に含まれている湿分を蒸発させ、その蒸発させた湿分を強度部材７の湿分逃がし開口７５（７５Ａ，７５Ｂ）から透過させ、ボトムボード３から遠ざかる方向につまり下方に放出させるのに有利である。このため湿度安定部材６の吸湿能力を再生することができ、湿度安定部材６による吸湿作用が長期にわたり良好に得られる。加熱部９は厚みが薄い面状発熱体であり、通電により発熱するタイプが例示される。発熱温度としては３０〜１００℃程度、４０〜８０℃程度が例示される。加熱部９は、湿度安定部材６の表面積の全域を被覆しないように、湿度安定部材６の表面の一部のみを被覆するように蛇行状に曲成されつつ配置されている。湿度安定部材６における吸湿作用を阻害しないためである。なお、加熱部９を強度部材７の下面７９側に配置しても良い。
【００２８】
本実施形態によれば、加熱部９は、マットレスＭ上の人が就寝しているときに発熱することにしても良い。熱がマットレスＭ側にも伝搬されるので、冬季、寒冷地などに都合が良い。あるいは、加熱部９は、マットレスＭ上の人が就寝する直前に発熱することにしても良い。就寝前にマットレスＭを暖める作用も期待できる。あるいは、加熱部９は、人がマットレスＭ上に人が存在していないとき、即ち、マットレスＭの不使用時（就寝時でないとき）において発熱することにしても良い。この場合、人が就寝するときにマットレスＭが暖められないため、夏季に適する。従って図４に示すように、マットレスＭの内部または下面に人体検知センサ１００Ｍを装備し、人体検知センサ１００Ｍからの人体検知信号をベッド装置１の制御部１０３Ｍに入力させる。そして、人体検知センサ１００Ｍによる人体検知の有無に応じて制御部１０３Ｍが加熱部９のオンオフを制御することができる。即ち、マットレスＭに人体が存在することが人体検知センサ１００Ｍにより検知されるとき、制御部１０３Ｍは使用者の就寝開始と推定し、制御部１０３Ｍが加熱部９をオンさせることにしても良い。この場合、湿度安定部材６に吸湿されていた湿分が加熱部９により積極的に除去され、湿度安定部材６の吸湿能力の再生が促進される。このため、就寝中に発生しマットレスＭに吸収された汗等の湿分は、マットレスＭを介して湿度安定部材６に良好に吸収される。
【００２９】
また、人体検知センサ１００Ｍにより人体が検知されないとき、即ち、ベッド装置で就寝していないとき、制御部１０３Ｍが加熱部９をオンさせることにしても良い。この場合、湿度安定部材６に吸湿されていた湿分が加熱部９の加熱により積極的に除去され、湿度安定部材６の吸湿能力の再生が促進される。このため、次回の就寝時には、湿度安定部材６の吸湿能力が高められている。なお、人体検知センサ１００ＭはマットレスＭに限らず、ベッド本体２に装備しても良い。人体検知センサ１００Ｍとしては荷重センサおよび光センサ等が例示される。
【００３０】
ベッド装置には、操作スイッチ１０８Ｍが設けられている。使用者が操作スイッチ１０８Ｍを非就寝時自動再生モードに設定すれば、ベッド装置で就寝していないときに加熱部９がオンとなり、湿度安定部材６の吸湿能力の再生処理が実行される。また使用者が操作スイッチ１０８Ｍを就寝時自動再生モードに設定すれば、ベッド装置で使用者が就寝しているときに加熱部９がオンとなり、湿度安定部材６の吸湿能力の再生処理が実行される。
【００３１】
図５は、湿度安定部材６の吸湿能力を再生処理させるため制御部１０３Ｍが実行するフローチャートの一例を示す。フローチャートはこれに限定されるものではない。まず、現在の季節信号を読み込む（ステップＳ１０２）。これは制御部１０３ＭのＣＰＵに内蔵されているタイマー機能の現在時間、現在期日を読み込むことにより実行できる。現在の季節が冬季であれば、人体検知センサ１００Ｍの信号を読み込み、マットレスＭ上に人体が存在しているか否か判定する（ステップＳ１０６，Ｓ１０８）。マットレスＭ上に人体が存在していれば（ステップＳ１０８のＹＥＳ）、制御部１０３Ｍは人が就寝していると推定し、加熱部９を所定時間オンさせる（ステップＳ１１０）。所定時間の長さは、マットレスＭの種類、湿度安定部材６の種類などに応じて適宜設定される。これにより湿度安定部材６が暖められるため、湿度安定部材６に吸湿されていた湿分が蒸散し、湿度安定部材６の吸湿能力が再生される。長時間にわたり少しずつ湿分を蒸散させることが好ましい。この場合、加熱部９で発生した熱がマットレスＭ側にも伝搬されるので、冬季、寒冷地などにおいて就寝するのに都合が良い。
【００３２】
ステップＳ１０４における判定の結果、現在の季節が冬季でなければ（ステップＳ１０４のＮＯ）、現在の季節が夏季であるか否か判定する（ステップＳ２００）。現在の季節が夏季であれば、人体検知センサ１００Ｍの信号を読み込み（ステップＳ２０２）、マットレスＭ上に人体が存在しているか否か判定する（ステップＳ２０２）。マットレスＭ上に人体が存在していなければ（ステップＳ２０４のＮＯ）、ベッド装置で就寝していないため、加熱部９を所定時間オンさせる（ステップＳ２０６）。これによりマットレスＭ上で人が就寝していないとき、湿度安定部材６が加熱部９により暖められ、湿度安定部材６に含まれていた湿分が蒸散するため、湿度安定部材６の吸湿能力が再生される。この場合、加熱部９で発生した熱がマットレスＭ側にも伝搬されるが、マットレスＭ上で人が就寝していないため、夏季、暑い地域などに都合が良い。なお、操作スイッチ１０８は冬季モード、夏季モードに切り替えることができるようにされている。
【００３３】
ステップＳ２００における判定の結果、現在の季節が夏季でなければ（ステップＳ２００のＮＯ）、冬季でも夏季でもない。そこで操作スイッチ１０８Ｍの操作状況を読み込む（ステップＳ２５０）。操作スイッチ１０８Ｍの操作状況が使用者により冬季モードに設定されていたら、ステップＳ１０６に進み、人体検知センサ１００Ｍの信号を読み込み（ステップＳ１０６）、マットレスＭ上に人体が存在していれば（ステップＳ１０８のＹＥＳ）、加熱部９を所定時間オンさせる（ステップＳ１１０）。これにより湿度安定部材６が暖められ、湿度安定部材６に含まれていた湿分が蒸散するため、湿度安定部材６の吸湿能力が再生される。この場合、加熱部９で発生した熱がマットレスＭ側にも伝搬されるため、寒がりの使用者に好適する。また操作スイッチ１０８Ｍの操作状況が使用者により夏季モードに設定されていたら、ステップＳ２０２に進み、人体検知センサ１００Ｍの信号を読み込み（ステップＳ２０２）、マットレスＭ上に人体が不存在であれば（ステップＳ２０４のＮＯ）、加熱部９を所定時間オンさせる（ステップＳ２０６）。これにより湿度安定部材６が暖められ、湿度安定部材６に含まれていた湿分が蒸散するため、湿度安定部材６の吸湿能力が再生される。この場合、加熱部９で発生した熱がマットレスＭ側にも伝搬されるが、マットレスＭ上で人が就寝していないため、暑がりの使用者に好適する。
【００３４】
（実施形態５）
図６は実施形態５を示す。本実施形態は実施形態１と基本的には同様の構成および作用効果を有する。以下、実施形態１と異なる部分を中心として説明する。本実施形態においても、ボトムボード３の厚み方向（矢印ｔｃ方向）において、表層部材４Ｂ、空気層保持部材５、湿度安定部材６、強度部材７が、マットレスＭに近い側から遠ざかるように順に積層されている。通気性をもつ表層部材４Ｂは袋状とされており、空気層保持部材５、湿度安定部材６、強度部材７を収容している。
【００３５】
（実施形態６）
図７は実施形態６を示す。本実施形態は実施形態１と基本的には同様の構成および作用効果を有する。以下、実施形態１と異なる部分を中心として説明する。本実施形態においても、ボトムボード３の厚み方向（矢印ｔｃ方向）において、空気層保持部材５、湿度安定部材６、強度部材７が、マットレスＭに近い側から遠ざかるように順に積層されている。但し表層部材は設けられていない。空気層保持部材５は剛性が高めのものであり、且つ、空気層保持部材５に載置されるマットレスＭのずれを抑制するため、空気層保持部材５の表面５ｓはマットレスＭに対して所要の摩擦抵抗を発生させる。
【００３６】
（実施形態７）
図８は実施形態７を示す。本実施形態は実施形態１と基本的には同様の構成および作用効果を有する。以下、実施形態１と異なる部分を中心として説明する。
湿度安定部材６Ｃは、高い吸湿性をもつ吸湿部材６１を備えている。これによりマットレスＭに含まれている湿分が空気層保持部材５を介して良好に除去される。湿度安定部材６Ｃの単位面積あたりの吸湿能力については、ベッド装置１の長さ方向（矢印Ｌ方向）において、つまり、ベッド装置１に就寝する就寝者の身長方向において、就寝者の脚側の領域６１Ｃにおける単位面積あたりの吸湿能力を相対的に低く設定している。そして、就寝者の腰部付近の領域６４Ｃにおける単位面積あたりの吸湿能力、または、腰部よりも上半身側の領域６３Ｃにおける単位面積あたりの吸湿能力を相対的に高く設定している。これは、就寝者の腰部付近、就寝者の腰部よりも上半身側において発生する湿分（汗）が多いことに着目したものである。従って湿度安定部材６Ｃの単位面積あたりにおける吸湿部材６１の担持量としては、就寝者の脚側の領域６１Ｃにおける単位面積あたりの吸湿部材６１の担持量を相対的に低く設定している。そして、就寝者の腰部付近の領域６４Ｃにおける単位面積あたりにおける吸湿部材６１の担持量、就寝者の腰部よりも上半身側の領域６３Ｃにおける単位面積あたりの吸湿部材６１の担持量を、脚側の領域６１Ｃよりも相対的に高く設定している。この場合、就寝者から発生する湿分を効果的に除去することができる。湿度安定部材６Ｃにおける吸湿部材６１の担持量を節約しつつ、湿度安定部材６Ｃにおける必要な吸湿能力を確保するのに有利である。
【００３７】
（実施形態８）
図９は実施形態８を示す。本実施形態は実施形態１と基本的には同様の構成および作用効果を有する。以下、実施形態１と異なる部分を中心として説明する。湿度安定部材６Ｄは、高い吸湿性をもつ吸湿部材６１を備えている。これによりマットレスＭに含まれている湿分が空気層保持部材５を介して良好に除去される。湿度安定部材６Ｄは、これの平面視において、高荷重領域６５Ｄと低荷重領域６６Ｄとに区分けされている。高荷重領域６５Ｄは、湿度安定部材６Ｄの垂直方向に就寝者の身体がほぼ投影され且つ就寝者の荷重が負荷される頻度が相対的に高い領域を意味する。低荷重領域６６Ｄは、湿度安定部材６Ｄの垂直方向に就寝者の身体が投影されず且つ就寝者の荷重が負荷される頻度が高荷重領域６５Ｄよりも相対的に低い領域を意味する。
【００３８】
湿度安定部材６の単位面積あたりの吸湿能力については次のように設定している。即ち、高荷重領域６５Ｄにおける単位面積あたりの吸湿能力を相対的に高く設定している。そして、低荷重領域６６Ｄにおける単位面積あたりの吸湿能力を相対的に低く設定している。この場合、就寝者から発生する湿分を効果的に除去することができる。従って湿度安定部材６の単位面積あたりにおける吸湿部材６１の担持量としては、高荷重領域６５Ｄにおける単位面積あたりの吸湿部材６１の担持量を相対的に高く設定している。そして、低荷重領域６６Ｄにおける単位面積あたりの吸湿部材６１の担持量を相対的に低く設定している。この場合、湿度安定部材６Ｄにおける吸湿部材６１の担持量を節約しつつ、湿度安定部材６Ｄにおける必要な吸湿能力を確保するのに有利である。
【００３９】
（実施形態９）
図１０は実施形態９を示す。本実施形態は実施形態１と基本的には同様の構成および作用効果を有する。以下、実施形態１と異なる部分を中心として説明する。
着座シート装置は、シート本体２００と、シート本体２００に設置され着座する人に接触して人を支持する弾性体として機能するクッションＭＸを載置するボード３Ｗとを備えている。更に、図１０に示すように、着座シート装置は、着座する人の背中に接触して人の背中を支持する弾性体として機能するクッションＭＹを備えている。クッションＭＹの裏側にもボード３Ｗが装備されている。ボード３Ｗはシート用ボードであり、実施形態１に係るボトムボードに相当することができる。図１０に示すように、ボード３Ｗは、実施形態１の場合と基本的には同様の構成および作用効果を有しており、クッションＭＸ，ＭＹの湿分を通過させる通気性をもつ表層部材４と、空気を保持する複数の細孔をもつ空気層保持部材５と、湿分を吸着可能な湿度安定部材６と、湿度安定部材６に吸着された湿分をボトムボード３から退避する方向に逃がす湿分逃がし開口７５（７５Ａ，７５Ｂ）を備える強度部材７とを備えている。ボード３Ｗの厚み方向（矢印ｔｃ方向）において、表層部材４、空気層保持部材５、湿度安定部材６、強度部材７が、クッションＭＸ，ＭＹに近い側から遠ざかるように順に積層されている。
【００４０】
本実施形態によれば、図１０に示すように、高い吸湿性をもつ湿度安定部材６が空気層保持部材５の裏側に設けられているため、除湿性を高めたボード３Ｗを備える着座シート装置を提供することができる。
【００４１】
本実施形態によれば、吸湿性をもつ湿度安定部材６は、空気層保持部材５の厚み相当ぶん、クッションＭＡ，ＭＹの裏面から離間している。このため湿度安定部材６に過剰な荷重負荷が作用するときであっても、湿度安定部材６に保持されている湿分がクッションＭＡ，ＭＹ側に戻ることが抑えられている。従ってクッションＭＡ，ＭＹの湿度環境を良好に保持するのに有利である。湿度安定部材６に担持されている吸湿性をもつ吸湿部材６１が顆粒状である場合であっても、湿度安定部材６の上方には空気層保持部材５が設けられているため、顆粒状の吸湿部材６１による凹凸の違和感を着座者が感じるおそれが低減されている。本実施形態によれば、着座者の腰部を弾性支持するクッションＭＡ，着座者の背中を弾性支持するクッションＭＹの双方の裏面にボード３Ｗが設けられているが、クッションＭＡ，ＭＹのうちのいずれか一方のみの裏面にボトムボード３を設けることにしても良い。必要に応じて、ボード３Ｗの内部に加熱部を設けても良い。なお、着座シート装置においては表層部材４を廃止し、空気層保持部材５とクッションＭＡ，ＭＹとを対面させても良い。
【００４２】
（その他）
本発明は上記し且つ図面に示した実施形態のみに限定されるものではなく、要旨を逸脱しない範囲内で適宜変更して実施できる。湿度安定部材６は吸湿可能なペーパ基材６２のみで形成されていても良い。一の実施形態に特有の機能および構造が採用されているとき、その特有の機能および構造を他の実施形態にも適用することができる。例えば、加熱部が設けられていない実施形態においても、加熱部を設けることにしても良い。高荷重領域６５Ｄおよび低荷重領域６６Ｄが設けられていない実施形態においても、高荷重領域６５Ｄおよび低荷重領域６６Ｄを設けることにしても良い。ボトムボード３の厚み方向において、表層部材４、空気層保持部材５、湿度安定部材６、強度部材７が、弾性体Ｍに近い側から遠ざかるように順に積層されているが、必要に応じて、各部材の間に他の部材を介在させても良い。
【００４３】
（付記項）シート本体と、前記シート本体に設置され着座する人に接触して人を支持する弾性体を載置するボードとを具備する着座シート装置において、前記ボードは、空気を保持する複数の細孔をもつ空気層保持部材と、湿分を吸着可能な湿度安定部材と、前記湿度安定部材に吸着された湿分を前記ボードから退避する方向に逃がす湿分逃がし開口を備える強度部材とを具備しており、前記ボードの厚み方向において、前記空気層保持部材、前記湿度安定部材、前記強度部材が、前記弾性体に近い側から遠ざかるように積層されていることを特徴とする着座シート装置。
【産業上の利用可能性】
【００４４】
本発明は例えば一般家庭、ホテル、旅館、寮、病院、介護施設、船舶、車両などで使用されるベッド装置、着座シート装置に利用できる。
【図面の簡単な説明】
【００４５】
【図１】実施形態１に係り、マットレスを載置するボトムボードを搭載するベッド装置を示すと共に、ボトムボードを分解して示す図である。
【図２】実施形態１に係り、ボトムボードを分解して示す斜視図である。
【図３】実施形態１に係り、空気層保持部材の各構造を示す斜視図である。
【図４】実施形態４に係り、マットレスを載置するボトムボードを搭載するベッド装置を示すと共に、ボトムボードを分解して示す図である。
【図５】実施形態４に係り、制御部が実行する湿度安定部材の再生処理の一例を示すフローチャートである。
【図６】実施形態５に係り、マットレスを載置するボトムボードを搭載するベッド装置を示すと共に、ボトムボードを分解して示す図である。
【図７】実施形態６に係り、マットレスを載置するボトムボードを搭載するベッド装置を示すと共に、ボトムボードを分解して示す図である。
【図８】実施形態７に係り、湿度安定部材の平面図である。
【図９】実施形態８に係り、湿度安定部材の平面図である。
【図１０】実施形態９に係り、マットレスを載置するボトムボードを搭載するベッド装置を示すと共に、ボトムボードを分解して示す図である。
【符号の説明】
【００４６】
１はベッド装置、２はベッド本体、３はボトムボード、４は表層部材、５は空気層保持部材、６は湿度安定部材、７は強度部材、７５は湿分逃がし開口、９は加熱部、１００Ｍは人体検知センサ、１０３Ｍは制御部を示す。
【図１】
2008173292.tif 000003
【図２】
2008173292.tif 000004
【図３】
2008173292.tif 000005
【図４】
2008173292.tif 000006
【図５】
2008173292.tif 000007
【図６】
2008173292.tif 000008
【図７】
2008173292.tif 000009
【図８】
2008173292.tif 000010
【図９】
2008173292.tif 000011
【図１０】
2008173292.tif 000012